(57)【要約】【課題】インフレータブルボートの把手に関し、握りの良さと構造の簡素化を両立する。【解決手段】インフレータブルボートＡに取り付ける把手であって、帯状のシート材３１’を幅中央から二枚折りし、重なり合った両側縁同士を止着して上記シートを筒状と成し、この筒状シートの内部に適宜太さ、適宜本数の紐状体３３を差し入れて内装し、該筒状シートの両端部を被着シート３２を介して気胴１に止着してなり、筒状シートの丸みにより把手３の握り易さを増し、止着片３２と被着シート３４とを縫製することにより、止着構造を簡素化した。【選択図】　　図１
2004074848.tif 000002
【特許請求の範囲】
【請求項１】
インフレータブルボートに取り付ける把手であって、帯状のシート材を幅中央から二枚折りし、重なり合った両側縁同士を止着して上記シートを筒状と成し、この筒状シートの内部に適宜太さ、適宜本数の紐状体を挿入して内装し、該筒状シートの両端部を気胴に止着してなるインフレータブルボート用把手。
【請求項２】
上記筒状シートの両端部を２枚折り部分から二枚に切り開いて２枚の止着片を構成し、該止着片は各々適宜大きさに形成した被着シートに設けた切れ目から挿入し、同シート裏側にて二枚に開き、各々シート裏面に止着して成る請求項１記載のインフレータブルボート用把手。
【請求項３】
上記筒状シート部位を略アーチ状に反らせて装着して成る請求項１又は２記載のインフレータブルボート用把手。
【発明の詳細な説明】
【０００１】
【発明の属する技術分野】
この発明は、インフレータブルボートに取り付ける把手に関する。
【０００２】
【従来の技術】
従来、海や川、プール等にて乗るものの中には環状や平面視略Ｕ形の気胴を有するフレキシブルボートやバナナボートと共に、レスキュー用に開発されたレスキューボートがある（特願平２００２−１１５３０４号等）。レスキューボートは図６及び図７にて示すように平面視略Ｕ形の気胴１０１を具備し、該気胴１０１の底面に発泡ポリエチレン樹脂等の芯材１０２ａをゴム布等にて被覆してなる底部１０２を設け、気胴１０１の後方部が解放されるボート本体１００を構成してある。
上記したボート本体１００内の搭乗部の前側には搭乗者や救助される人が握る把手１０３を適宜な間隔を置いて取り付けてある。
上記した如く構成したレスキューボートには搭乗者の上半身を載せ、底部１０２の後端より後に足を伸ばしバタ足にて推進するように構成してある。また、ボート本体１００内には上半身を載せ、気胴１０１の前部に取り付けた把手１０３を握って安定した搭乗姿勢を取る。よって、上記レスキューボートにおいては把手１０３が良好な搭乗姿勢を取るために大変重要なものとなる。
【０００３】
上記したように従来のレスキューボートに取り付ける把手１０３は、図５にて示すように、握り部となるベルト１０４を用いて構成してある。上記した如く握り部となるベルト１０４は帯状に形成した強度のある合成繊維からなる帯状材を２枚重ね合わせミシンで縫着することにより、一枚状に成してある。また、ベルト１０４は略円形に裁断した補強兼化粧用のゴム布１０７を１枚ずつ使用して後述するようにベルト１０４の両端部と共に気胴本体１０１に接着する。
【０００４】
上記した如く構成したベルト１０４は、その両端部を逢着せずに開いて２枚の止着片１０５を形成してある。この止着片１０５は、ベルト１０４の両端部にて開いた状態とし、強度のある力布１０６に対して接着し且つ縫着してある。既述した如く中央部に切り欠き１０７ａを設けたゴム布１０７は上記ベルト１０４を予め貫通させておく。そして、力布１０６を気胴１０１の所定の箇所に接着した後で、その接着部を止着片１０５にて被い隠すように接着する。また、上記した把手１０３の握り部には軟質合成樹脂からなるカバー１０８を嵌装して把手１０３の握り触感を向上してある。
把手１０３は、上記した如く構成することで両端部を気胴１０１に止着し、程よくアーチ状に反った状態で装着され、搭乗者はその把手１０３に両手を掛けて握ることにより、上半身を気胴１０１の内部にて安定した状態で維持できるように構成してある。
【０００５】
【発明が解決しようとする課題】
しかし、上記したように構成した把手１０３は、手で握るベルト１０４部が平たく帯状となるので、強く握ると両側の縁の部分が手に食い込んで痛くなることがあった。また、把手１０３は軟質合成樹脂からなるパイプ状のカバー１０８を被装してあるが、これでも把手を強く握ると手が痛くなり、またベルトの形状が平たいので握り難い等の問題があり、改良の要望があった。
また、上記した把手１０３は、ベルト１０４両端部の止着片１０５を力布１０６に縫着及び接着し、この力布１０６を気胴１０１に接着した後、これを被い隠すようにゴム布１０７を接着する必要があったので製造に手間がかかり、また、必要な部材も多く、コスト面でも問題があった。
【０００６】
本発明の課題は、インフレータブルボートの把手に関し、握りの良さと構造の簡素化を両立し得ることにある。
【０００７】
【課題を解決するための手段】
請求項１記載のインフレータブルボート用の把手は、帯状のシート材を幅中央から二枚折りして、重なり合った両側縁同士をミシン縫着や接着により止着して筒状と成す。この筒状シートの内部には適宜太さ、適宜本数の紐状体を差し入れて内装する。これにより、握り部となる筒状シートは内装した紐状体により適度に膨らんで握り易い形状となる。
【０００８】
請求項２記載のインフレータブルボートの把手は、上記筒状シートの両端部を二枚に開いて止着片とする。そして、この止着片を被着シートに設けた切れ目から挿入し、同シート裏側にて二枚に開き、各々シート裏面に縫着及び接着することで止着する。上記した如く構成した把手は両端部の被着シートを気胴の所定箇所に接着することでアーチ状に反った状態で気胴に取り付けられる。
【０００９】
請求項３記載のインフレータブルボートは、上記請求項１または２記載のインフレータブルボートの把手において、把手の握り部となる筒状シート部位を略アーチ状に反らせて成るものであるから、搭乗時において手を掛けやすく、さらに把手を握った際のフィーリングもよい。
【００１０】
【発明の実施の形態】
以下、本発明の一実施例を図面に基づいて説明する。
図１及び図２は、本発明を実施した水上走行具Ａを示している。水上走行具Ａは、平面略Ｕ字形の気胴１と、同気胴１の底面に設けた底板２とから成り、同気胴１の内部に、搭乗者がうつ伏せになった状態で乗る搭乗部ａを構成してある。上記した気胴１は、ゴム引き布やウレタンターポリン、塩ビターポリン等を用いて構成し、膨張状態において、平面視略Ｕ字形となるように構成してある。
底板２は図６，図７にて示すように、縦断面が円形となる気胴１の底面部に外縁を沿わせて設置し、その外周縁部をゴムシートやゴム布，接着テープ等を用いて気胴１の底面部に沿って貼着してある。
上記気胴１の両後端部は、耳部１ａを貼り合わせることにより、気胴の気密を保ち、且つ気胴１の後端部を平面視半円形状に維持している。また、この気胴１は、右側の後端部に給排気口１ｂを設け、同給排気口１ｂを使用して同気胴１の膨張と収縮を行なう。
【００１１】
一方、搭乗部ａの底面を構成する底板２は、例えば発泡ポリエチレン等の厚板２ａを気胴１の底面に沿う外形に切断し、その後ゴム布等を用いて前面被覆してあり十分な強度を有する。この底板２の後端部は、搭乗者の上半身に合わせて全長を設定してあり、その後端の縁部から上記気胴１の両後端部が幾分突出するように構成してある（図１）。
【００１２】
気胴１は適度な幅の搭乗部ａを形成し、該搭乗部ａ内の底板２の上に搭乗者の上半身が適度な余裕をもって搭乗できるように成っている。通常時、上記搭乗部ａ内には、搭乗者がうつ伏せ状態にて乗り込み、下半身は底板２及び気胴後端部よりも後方へ出るように設定してある。
即ち、搭乗者は搭乗姿勢を維持しながらバタ足よる推力で走行することが可能となる。ちなみに、この水上走行具Ａは、救助用として使われ、上記搭乗部ａに溺れた被救助人とライフセーバーとの２人が搭乗し、ライフセーバーのバタ足により推進して浜まで移動する際等に用いる。
【００１３】
上記した気胴１の前部、即ち平面視略半円状に形成される部位の搭乗部ａ側の側面には、４つの把手を円周方向に定間隔を置いて設けてある。
この把手３は、気胴１中央を基準として２個ずつ左右に振り分けられ、通常の場合、その内側の把手３同士、また、外側の把手３同士を一対として使用する。これらの把手３は、強度のある握り部３１と、該握り部３１の両端に止着する止着片３２、筒状の握り部３１に内装するロープ３３とから構成してある。
把手３は２枚のゴム布を一体に重ね合わせて成る高強度の帯状ゴム布を用いてなる。図３，図４にて示すように略帯状に裁断したシート材３１’は中央から２枚折りして重なり合った両側縁部に沿って縫い代３１ａを縫製し、同シート材３１’の両端部には２枚に裁断した止着片３２を重ね合わせた形で突出せしめてある（図３）。
【００１４】
上記したように裁断したシート材３１’は幅方向の中央部から２枚折りにし、重なり合った縫い代３１ａ同士をミシンにて逢着する。また、縫い代３１ａ同士の止着は接着剤と縫着とを併用してもよい。これによりシート材３１’は筒状となり、その両端部に取り付けられた状態となる２枚の止着片３２が重なり合った状態で突出する。上記した如く略筒状となった筒状シート３１’の中には適度な直径、例えば直径１０ｍｍ前後のロープ３３を２本挿入して内装した。ロープ３３は適度な直径を有する紐状体であればどのようなもののであってもよく、本実施例の場合直径１０ｍｍ程度のロープ３３を２本内装してある。
【００１５】
上記したように筒状シート３１’の内部にロープ３３を入れると、握り部３１が適度に膨出して断面が丸くなり、握り易い形状となる。尚、筒状シート３１’の内部に内装するロープの太さや本数は任意に変更してもよい。
この状態において握り部３１の両端から２枚ずつの止着片３２が突出している。この止着片３２は円形に形成した被着シート３４の中央部に切り込んだ切れ目３４ａから挿入し、同被着シート３４の裏側に挿通する。尚、上記した被着シート３４は強度のあるゴム布を円形に裁断してなり、表面側が把手３１の中央へ向く状態で装着する。
上記したように、切れ目３４ａに挿通した止着片３２は２枚に開いた状態で被着シート３４の裏面に接着し、さらに止着片が接着された範囲をミシンで縫着する。これにより、握り部３１の両端部に被着シート３４が強固に取り付けられる（図４）。
【００１６】
上記した如く構成した把手３は水上走行具Ａの気胴１の前方部に所定の間隔をおいて４本並べて取り付ける（図１）。把手３を気胴１に取り付ける際には、把手３の一端部の被着シート３４を気胴１の所定位置、この実施例の場合気胴上面に接着し、さらに、もう一方の被着シート３４を同気胴１の内側の側面に接着し、上記両被着シート３４の間隔を適宜に設定することで、両被着シート３４の間において握り部３１がアーチ状に反るように取り付けてある。
【００１７】
また、上記した如く気胴１に取り付け固定する把手３は、気胴１に取り付けた状態において握り部３１に沿って筋状に突出する縫着代３１ａが、同握り部３１を手で握った際に、手の握りとできるだけ接触しない位置に来るように方向付けして装着してある。例えばこの実施例においては縫着代３１ａがボート中央へ向くように設定してある。また、逢着代３１ａの突部が手に触れなくなると、把手３を握った際の感触がさらによくなり、水上走行具Ａの搭乗姿勢やバタ足運動にもよい影響を与える。
尚、本発明のインフレータブルボート用把手の装着は、上記したような水上走行具（レスキューボート）に限定するものではなく、気胴を主体として構成したボートであれば、どのようなものに装着してもよい。上記したレスキューボートの他にも、川下り用のラフティング用ボートの運搬用把手やフレキシブルカヌー等に用いる把手としても適している。また、把手の装着位置や本数、長さや反りなどはボートの種類や把手に求められる機能により任意に変更してもよい。
さらに、運搬用の把手などは、同把手の逢着代を略上方へ向けることにより手で握った際に装着代の突条が手に当たることがないので、把手の表面に突出する接着代の位置設定には工夫が必要である。
【００１８】
【発明の効果】
以上説明したように、本発明のインフレータブルボート用の把手は、帯状のシート材を幅中央から二枚折りし、重なり合った両側縁同士を止着して筒状シートを形成し、この筒状シートの内部にロープ等の紐状体を差し入れて内装したものであるから、把手の握り部が上記紐状体により程良く膨らんで断面が丸くなるので、大変握りやすく、また、従来のベルト状の握り部のように両側の縁がもろに露呈することがないので、搭乗時に把手を握っていて手が痛くなるようなこともない。
【００１９】
請求項２記載のインフレータブルボート用の把手は、上記請求項１記載の把手において、筒状シートの両端部を二枚に開いて止着片として構成し、該止着片は各々適宜大きさに形成した被着シートに設けた切れ目から挿入し、同シート裏側にて二枚に開き、各々シート裏面に止着して成るものである。したがって、従来の把手のように、止着片を力布に縫着して気胴に接着し、さらに、その上から補強兼化粧用のゴム布を被覆して接着するものと比較すると、把手の両端部を気胴に止着する構造を簡素化することができ、さらに製作工程も削減できるので、製造コストを低減することができる。
【００２０】
請求項３記載のインフレータブルボート用の把手は、上記した請求項１または請求項２記載のインフレータブルボート用の把手において、把手の筒状シート（握り部）をアーチ状に反らせたものであるから、搭乗時において手を掛けやすく、把手を握った際のフィーリングもよい。さらに握り部分の断面が丸くなるので従来のもののようにベルト材の縁部が指に当たって痛くなるような不具合もない。
【図面の簡単な説明】
【図１】本発明を実施した把手を装着したインフレータブルボートを示す平面図。
【図２】同インフレータブルボートを示す縦断側面図。
【図３】本発明を実施した把手を一部省略して示す斜視図。
【図４】本発明を実施した把手の端部取り付け部位を示す縦断面図。
【図５】従来の把手の端部取り付け部位を示す縦断面図。
【図６】従来の把手を装着したレスキューボートを示す平面図。
【図７】同ボートの縦断面図。
【符号の説明】
Ａ・・・水上走行具（レスキューボート）
１・・・気胴
２・・・底板
３・・・把手
３１・・・握り部
３１’・・・筒状シート
３１ａ・・・縫い代
３２・・・止着片
３３・・・ロープ
３４・・・被着シート
３４ａ・・・切れ目
【図１】
2004074848.tif 000003
【図２】
2004074848.tif 000004
【図３】
2004074848.tif 000005
【図４】
2004074848.tif 000006
【図５】
2004074848.tif 000007
【図６】
2004074848.tif 000008
【図７】
2004074848.tif 000009